(57)【要約】【課題】人手よって照明器具を調光操作しなくても、自動的にミラー現象の発生を防止できるようにして、管理者の余分な労力を軽減したミラー現象防止システムを提供する。【解決手段】観察者Ｍがガラス板１を隔てて配置された展示物４を観察する場合の、観察者Ｍ側に位置する景色の反射像がガラス板１に映るミラー現象を防止するための装置であって、観察者Ｍ側に位置する景色の明るさ検出する第１の光センサ６と、展示物４の明るさを検出する第２の光センサ７と、両光センサ６，７の検出出力に基づいてミラー現象を抑制するのに必要な条件を満たすようにガラス板１を隔てた観察者Ｍ側と展示物４側の明るさを相対的に変化させる照明装置８とを備えている。【選択図】図１
2007167167.tif 000002
【特許請求の範囲】
【請求項１】
観察者が透明板を隔てて配置された展示物を観察する場合の、前記観察者側に位置する景色の反射像が前記透明板に映るミラー現象を防止するための装置であって、前記観察者側に位置する景色の明るさ検出する第１の光センサと、前記展示物の明るさを検出する第２の光センサと、前記両光センサの検出出力に基づいて、ミラー現象を抑制するのに必要な条件を満たすように前記透明板を隔てた観察者側と展示物側の明るさを相対的に変化させる照明装置と、を備えることを特徴とするミラー現象防止システム。
【請求項２】
前記透明板がショーウインドウを構成するものであって、このショーウインドウの屋内側に前記展示物が配置されている場合において、前記照明装置は、前記展示物を照明する照明器具と、前記第１、第２の光センサの検出出力に基づいて、前記展示物の輝度がミラー現象を抑制するのに必要な条件を満たすまで大きくなるように前記照明器具の明るさを制御する調光装置とからなることを特徴とする請求項１記載のミラー現象防止システム。
【請求項３】
前記透明板が屋内と屋外とを仕切るものであって、屋外に前記展示物が配置されている場合において、前記照明装置は、屋内を照明する照明器具と、前記第１、第２の光センサの検出出力に基づいて、屋内の輝度がミラー現象を抑制するのに必要な条件を満たすまで小さくなるように前記照明器具の明るさを制御する調光装置とからなることを特徴とする請求項１記載のミラー現象防止システム。
【発明の詳細な説明】
【技術分野】
【０００１】
本発明は、観察者が透明板を隔てて配置された展示物を観察する場合において、観察者側に存在する景色の反射像がガラス板などの透明板に映る、いわゆるミラー現象を防止するためのミラー現象防止システムに関する。
【背景技術】
【０００２】
一般に、店舗等においては、ショーウインドウを設け、このショーウインドウを隔てた屋内側に衣類、宝石類といった各種の展示物を展示することにより、客の関心を引き付けて購買意欲をかき立てるようにすることがある。その際、観察者が昼夜を問わず展示物を十分に観察できるように、屋内に蛍光灯、ダウンライト、スポットライト等の各種の照明器具を配置して展示物を照明するようにしている。
【０００３】
ところで、観察者や展示物を観察する場合、屋内が屋外よりも相対的に明るい場合には、図５（ａ）に示すように、ショーウインドウのガラス板ａを通じて展示物ｂを十分に観察することができる。
【０００４】
これに対して、屋内が屋外に比べて相対的に暗い場合には、図５（ｂ）に示すように、屋外の景色の反射像ｃがショーウインドウのガラス板ａに映る、いわゆるミラー現象が生じる。このため、観察者には、展示物ｂに屋外の景色の反射像ｃが重なってしまい、展示物ｂが見えにくくなるという不具合を生じる。
【０００５】
なお、従来技術として、展示物を納めたショウケース内に照明装置を設け、この照明装置で展示物に対する配光制御を行うことにより、展示物の鑑賞の障害にならずに、展示物を有効に照明できるようにした技術も提案されている（例えば、特許文献１等参照）。
【特許文献１】特開２００１−２９９５２９号公報
【発明の開示】
【発明が解決しようとする課題】
【０００６】
上記のミラー現象が生じるのを回避するには、店員などの管理者が屋内や屋外の明るさを常に監視しておき、屋内が屋外に比べて相対的に暗くてミラー現象が起こり易いと判断したときには、屋内が明るくなるように、屋内に設けた各種の照明器具の明るさを調節することで対処することが可能である。
【０００７】
しかし、このように、管理者が常時、屋内や室外の明るさを監視して照明器具を操作するのは、極めて煩雑な作業となり、管理者に余分な負担をかけることになる。しかも、ある程度の経験を積まないと適切な調光操作を行えないなどの問題がある。
【０００８】
また、特許文献１に記載されているものは、展示物の鑑賞に障害を生じることなく照明装置によってより効果的に展示物を照明するための技術であって、ミラー現象を防止しようとするものではなく、したがって、依然としてミラー現象のために展示物が見えにくくなることがある。
【０００９】
上記の説明はショーウインドウにミラー現象が生じる場合であるが、これに限らず、例えば、旅館や飲食店などでは夜間でも庭の景色を鑑賞してもらうために庭を照明することがあるが、その際、屋外よりも客室内が明るいと、同様にミラー現象が生じて窓ガラスに客室内の景色が映って庭の景色が見えにくくなることがある。
【００１０】
本発明は、上記の課題を解決するためになされたもので、従来のように、屋内や室外の明るさを常に監視して人手によって照明器具を調光操作しなくても、自動的にミラー現象の発生を防止できるようにして、管理者の余分な労力を軽減するとともに、観察者が常に透明板を通して展示物を十分に観察することが可能なミラー現象防止システムを提供することを目的とする。
【課題を解決するための手段】
【００１１】
上記の目的を達成するために、請求項１記載の発明に係るミラー現象防止システムは、観察者が透明板を隔てて配置された展示物を観察する場合の、前記観察者側に位置する景色の反射像が前記透明板に映るミラー現象を防止するための装置であって、前記観察者側に位置する景色の明るさ検出する第１の光センサと、前記展示物の明るさを検出する第２の光センサと、前記両光センサの検出出力に基づいて、ミラー現象を抑制するのに必要な条件を満たすように前記透明板を隔てた観察者側と展示物側の明るさを相対的に変化させる照明装置と、を備えることを特徴としている。
【００１２】
また、請求項２記載の発明に係るミラー現象防止システムは、請求項１記載の発明において、前記透明板がショーウインドウを構成するものであって、このショーウインドウの屋内側に前記展示物が配置されている場合に、前記照明装置は、前記展示物を照明する照明器具と、前記第１、第２の光センサの検出出力に基づいて、前記展示物の輝度がミラー現象を抑制するのに必要な条件を満たすまで大きくなるように前記照明器具の明るさを制御する調光装置とからなることを特徴としている。
【００１３】
請求項３記載の発明に係るミラー現象防止システムは、請求項１記載の発明において、前記透明板が屋内と屋外とを仕切るものであって、屋外に前記展示物が配置されている場合、前記照明装置は、屋内を照明する照明器具と、前記第１、第２の光センサの検出出力に基づいて、屋内の輝度がミラー現象を抑制するのに必要な条件を満たすまで小さくなるように前記照明器具の明るさを制御する調光装置とからなることを特徴としている。
【発明の効果】
【００１４】
請求項１記載の本発明によれば、従来のように、管理者が屋内や室外の明るさを常に監視して人手によって照明器具を調光操作しなくても、照明装置が第１、第２の光センサの検出出力に基づいて前記透明板を隔てた観察者側と展示物側の明るさを相対的に変化させてミラー現象を抑制するのに必要な条件を満たすように自動的に制御するので、管理者の余分な労力を軽減することができるとともに、観察者は透明板を通して常に展示物を十分に観察することが可能になる。
【００１５】
請求項２記載の発明によれば、透明板がショーウインドウを構成するものであって、このショーウインドウの屋内側に展示物が配置されている場合において、屋外の景色の反射像がショーウインドウの透明板に映って展示物が見えにくくなるという不具合発生を回避できるため、客の関心を引き付けて購買意欲をかき立てることが期待できる。
【００１６】
請求項３記載の発明によれば、透明板が屋内と屋外とを仕切る窓ガラスやガラス戸などを構成するものであって、その屋外に展示物としての庭が配置されている場合において、窓ガラスやガラス戸に客室内の景色が映って庭の景色が見えにくくなるという不具合発生を回避できるため、庭の景色を十分に鑑賞、堪能してもらうことが期待できる。
【発明を実施するための最良の形態】
【００１７】
以下、本発明の実施の形態について、図面を参照して詳しく説明する。
【００１８】
（実施の形態１）
図１は本発明の実施の形態１におけるミラー現象防止システムの構成図である。図１において、符号１はショーウインドウを構成する透明板としてのガラス板、２，３はショーウインドウを境とした屋外と屋内、４は屋内３に配置された展示物である。
【００１９】
この実施の形態１のミラー現象防止システムは、ショーウインドウのミラー現象を防止するためのものであって、観察者Ｍが位置することになるショーウインドウの外側の屋外２の景色の明るさ検出する第１の光センサ６と、ショーウインドウの内側の屋内３に配置された展示物４の明るさを検出する第２の光センサ７と、両光センサ６，７の検出出力に基づいて展示物４に対する照明の明るさを制御する照明装置８とを備えている。
【００２０】
この場合、第１、第２の光センサ６，７は、共に輝度計により構成されており、第１光センサ６はガラス板１に対面するように配置されていて、ガラス板１を通して屋外２の景色の輝度を検出する。また、第２光センサ７は、展示物４に対面するように配置されており、展示物４の輝度を直接に検出する。また、上記の照明装置８は、展示物４を照明する照明器具９，１０と、第１、第２光センサ６，７の検出出力に基づいて照明器具９，１０の明るさを制御する調光装置１２とを備えている。
【００２１】
ここに、一方の照明器具９は、屋内３の背景の明るさを確保するための蛍光灯やダウンライトなどのベース照明器具であり、他方の照明器具１０は、展示物４を重点的に照明するスポットライト等の重点照明器具である。また、調光装置１２は、第１、第２光センサ６，７の検出出力を比較演算する比較演算部１３と、この比較演算部１３の比較演算結果に基づいて、展示物４の輝度がミラー現象を抑制するのに必要な条件を満たすまで大きくなるように照明器具９，１０の明るさを制御する調光制御部１４とを有している。
【００２２】
次に、上記構成のミラー現象防止システムの動作について、図２に示すフローチャート、および図３に示す説明図を参照して説明する。なお、図２において、符号Ｓは処理ステップを意味する。
【００２３】
照明装置８を起動すると（Ｓ１）、調光装置１２の比較演算部１３は、まず第１光センサ６の検出出力を取り込んで屋外２の景色５の輝度Ｌ０を測定する（Ｓ２）。続いて、調光装置１２の比較演算部１３は、第２光センサ７の検出出力を取り込んで屋内３の展示物４の輝度Ｌｉを測定する（Ｓ３）。
【００２４】
ここで、いま、図３に示すように、屋外２の景色５の輝度をＬ0、展示物４の輝度をＬｉ、ガラス板１の反射率をｒ、ガラス板１の透過率をｔとし、また、ガラス板１に映っている屋外２の景色５の反射像の輝度をＬ0’、ガラス板１を通して見える展示物４の輝度をＬｉ’とすると、
Ｌ0’ ＝ｒ・Ｌ0                                        （１）
Ｌｉ’＝ｔ・Ｌｉ                                        （２）
となる。そして、ミラー現象を回避するためには、
Ｌ0’ ≧Ｌｉ’                                          （３）
の関係を満たす必要があるので、（１）〜（３）式の関係から、
Ｌｉ≧（ｒ／ｔ）・Ｌ0                                    （４）
となる。
【００２５】
ショーウインドウとして使用される一般的な板厚（５ｍｍ）のガラス板１において、垂直に光が入射する場合、ｒ≒０．０８、ｔ≒０．９であるので、（４）式における（ｒ／ｔ）≒０．１となるが、第１光センサ６がガラス板１を通して屋外２の景色の輝度を検出していることや、実際にはガラス板１に対して光が傾斜して入射することなどを考慮して、（ｒ／ｔ）≒０．２とするのが好ましい。よって、ミラー現象を回避する上では、
Ｌｉ≧０．２・Ｌ0                                       （５）
の関係を満たすようにする必要がある。
【００２６】
そこで、比較演算部１３は、第１、第２の各光センサの検出出力Ｌ0，Ｌｉに基づいて、上記（５）式の関係が満たされているか否かを判断する（Ｓ４）。このとき、（５）式の関係が満たされておれば、ミラー現象は生じないので、処理を終了する（Ｓ５）。
【００２７】
これに対して、（５）式の関係が満たされていなければ、ミラー現象を生じる恐れがあるので、調光制御部１４は、この比較演算部１３の結果に基づいて、展示物４を照明する照明器具９，１０の明るさを調整する（Ｓ６）。この場合、展示物４の照明効果を考慮して、ベース照明器具９の明るさのみを制御してもよいし、重点照明器具１０の明るさのみを制御してもよく、あるいは両照明器具９，１０の双方の明るさを同時に制御してもよい。
【００２８】
そして、再びＳ２に戻り、屋外２の景色の輝度Ｌ０を測定し、次いで、展示物４の輝度Ｌｉを測定して（Ｓ３）、第１、第２の光センサ６，７の検出出力Ｌ0，Ｌｉに基づいて（５）式の関係が満たされているか否かを判断する（Ｓ４）。そして、（５）式の関係が満たされておれば、ミラー現象は生じないので処理を終了する（Ｓ５）。
【００２９】
以上のように、この実施の形態１では、従来のように、管理者が屋内３や室外の明るさを常に監視して人手によって照明器具９，１０を調光操作しなくても、照明装置８が第１、第２の光センサ６，７の検出出力に基づいて、展示物４の輝度Ｌｉがミラー現象を抑制するのに必要な（５）式の条件を満たすまで大きくなるように照明器具９，１０の明るさを自動的に制御するので、管理者の余分な労力を軽減することができるとともに、観察者Ｍはガラス板１を通して常に展示物４を十分に観察することが可能になる。
【００３０】
しかも、この実施の形態１では、ガラス板１がショーウインドウを構成するものであって、このショーウインドウの屋内３側に展示物４が配置されている場合において、ミラー現象によって、屋外２の景色の反射像がショーウインドウのガラス板１に映って展示物４が見えにくくなるという不具合発生を回避できるため、従来に増して、客の関心を引き付けて購買意欲をかき立てることを期待することができる。
【００３１】
（実施の形態２）
図４は本発明の実施の形態２におけるミラー現象防止システムの構成図である。上記の実施の形態１のミラー現象防止システムでは、ショーウインドウにおいてミラー現象を防止するようにしているが、この実施の形態２では、ガラス板１が旅館や飲食店などの客室１７と屋外１８とを仕切る窓ガラスやガラス戸などを構成するものであって、屋外１８に展示物としての庭が配置されている。この場合においても、屋外１８よりも客室１７内が明るいと、ミラー現象が生じてガラス板１に客室１７内の景色が映って庭の景色が見えにくくなる。
【００３２】
そこで、この実施の形態２のミラー現象防止システムでは、ガラス板１の内側の客室１７側に客室１７内の輝度を検出する第１光センサ６が、またガラス板１の外側の屋外１８側に庭の景色の輝度を検出する第２光センサ７がそれぞれ配置されている。また、客室１７内には客室１７内の明るさを確保するための蛍光灯やダウンライトなどのベース照明器具１９が、屋外２には庭を照明するスポットライト等の重点照明器具２０がそれぞれ配置されている。さらに、第１、第２光センサ６，７の検出出力に基づいて照明器具１９，２０の明るさを制御する調光装置１２を備えている。なお、この場合の調光装置１２の構成は実施の形態１の場合と同様であるからここでは詳しい説明は省略する。
【００３３】
ここで、屋外１８よりも客室１７内が明るいと、ミラー現象が生じてガラス板１に客室１７内の景色が映って庭の景色が見えにくくなるので、調光装置１２は、第１、第２の光センサ６，７の検出出力に基づいて、客室１７内の輝度Ｌ0がミラー現象を抑制するのに必要な前述の（５）式の条件を満たすまで小さくなるように照明器具１９の明るさを制御する。
【００３４】
以上のように、この実施の形態２では、ガラス板１が客室１７と屋外１８とを仕切る窓ガラスやガラス戸などを構成するものであって、その屋外１８に展示物としての庭が配置されている場合において、ガラス板１に客室１７内の景色が映って庭が見えにくくなるという不具合発生を回避できるため、庭の景色を十分に鑑賞、堪能してもらうことができる。
【００３５】
なお、上記の実施の形態１，２において、第１、第２の光センサ６，７は、輝度を検出する輝度計で構成されているが、照度を検出する照度センサを適用することもできる。この場合には、外部の物体の光の照度をＥ0、その反射率をρ0、展示物４の光の照度をＥｉ、その反射率をρｉとすると、前述の（５）式に代えて、Ｅｉ≧０．２・（ρ0／ρｉ）・Ｅ0を採用することができる。
【００３６】
また、上記の実施の形態１，２では透明板としてガラス板を用いているが、必ずしもこれに限らず、例えば透明プラスチック板の場合でも本発明を適用することが可能である。
【図面の簡単な説明】
【００３７】
【図１】本発明の実施の形態１におけるミラー現象防止システムの構成図である。
【図２】同システムによるミラー現象防止動作を示すフローチャートである。
【図３】同システムによりミラー現象を防止するための作用説明図である。
【図４】本発明の実施の形態２におけるミラー現象防止システムの構成図である。
【図５】ショーウインドウに生じるミラー現象の説明図である。
【符号の説明】
【００３８】
１    ガラス板（透明板）
２    屋外
３    屋内
４    展示物
６    第１光センサ
７    第２光センサ
８    照明装置
９    照明器具
１０    照明器具
１２    調光装置
１７    屋内（客室）
１８    屋外
１９    照明器具
２０    照明器具
【図１】
2007167167.tif 000003
【図２】
2007167167.tif 000004
【図３】
2007167167.tif 000005
【図４】
2007167167.tif 000006
【図５】
2007167167.tif 000007